(57)【要約】【課題】各ユーザに応じた情報を適切に提供すること。【解決手段】複数の提供情報を、記録する提供情報記録手段９と、ユーザごとの情報を記録するユーザ情報記録手段３と、ユーザ端末２からの要求を入力する入力手段７と、前記入力手段７に入力されたユーザ端末２からの要求が入力された場合に、前記ユーザ情報記録手段３に記録された前記ユーザ端末２に対応するユーザの情報に基づき、前記提供情報記録手段９に記録された前記複数の提供情報のうち、各ユーザに適した１または２以上の提供情報にアクセス可能とするためのアドレス情報を生成するアドレス情報生成手段６と、前記アドレス情報生成手段６により生成された前記アドレス情報を、前記ユーザ端末に送信するアドレス情報送信手段８と、を有する情報提供システム。【選択図】図１
2010277561.tif 000002
【特許請求の範囲】
【請求項１】
複数の提供情報を、記録する提供情報記録手段と、
ユーザごとの情報を記録するユーザ情報記録手段と、
ユーザ端末からの要求を入力する入力手段と、
前記入力手段に入力されたユーザ端末からの要求が入力された場合に、前記ユーザ情報記録手段に記録された前記ユーザ端末に対応するユーザの情報に基づき、前記提供情報記録手段に記録された前記複数の提供情報のうち、各ユーザに適した１または２以上の提供情報にアクセス可能とするためのアドレス情報を生成するアドレス情報生成手段と、
前記アドレス情報生成手段により生成された前記アドレス情報を、前記ユーザ端末に送信するアドレス情報送信手段と、を有する情報提供システム。
【請求項２】
前記ユーザ情報記録手段に記録されるユーザごとの情報は、ユーザによる前記提供情報記録手段に記録された前記複数の提供情報の利用結果を含む請求項１に記載の情報提供システム。
【請求項３】
前記ユーザ情報記録手段に記録されたユーザごとの情報を利用するための利用ＩＤを、ユーザに通知する通知手段をさらに有する請求項１または２に記載の情報提供システム。
【請求項４】
前記アドレス情報は、アクセス可能としている提供情報に関連する情報をさらに含む請求項１〜３のいずれかに記載の情報提供システム。
【請求項５】
前記アドレス情報に基づいて、ユーザによって前記提供情報にアクセスがなされた場合に、アクセスされた前記提供情報に関連する情報を、ユーザ端末に送信する関連情報送信手段をさらに有する請求項４に記載の情報提供システム。
【請求項６】
前記提供情報に関連する情報に、ユーザがアクセスした場合に、アクセスしたユーザを識別するユーザ識別手段をさらに備える請求項４または５に記載の情報提供システム。
【請求項７】
前記提供情報記録手段に記録された複数の提供情報には、該提供情報にアクセスするために必要な認証を要求する認証要求情報が含まれている請求項１〜６のいずれかに記載の情報提供システム。
【請求項８】
前記アドレス情報に基づき、ユーザによって前記認証要求情報にアクセスがなされた場合に、前記ユーザのＩＤを照合し、前記ユーザが前記認証要求情報にアクセス可能であるか否かを認証する認証手段をさらに有し、
前記アドレス情報生成手段は、前記認証手段により前記ユーザが前記認証要求情報にアクセス可能であると認証された場合に、前記アドレス情報を、前記認証要求情報にアクセス可能な認証情報用アドレス情報に変換することにより、ユーザが前記認証要求情報にアクセス可能とする請求項７に記載の情報提供システム。
【発明の詳細な説明】
【技術分野】
【０００１】  本発明は、情報提供システムに関するものである。
【背景技術】
【０００２】  従来より、ユーザの要求に応じて、各種情報を提供する情報提供システムが知られている。
【発明の概要】
【発明が解決しようとする課題】
【０００３】  しかしながら、従来の情報提供システムにおいては、ユーザに提供するための各種情報のアドレス（ＵＲＬ）が記録された単一のＸＭＬファイルを介して、ユーザが各種情報にアクセスするものであり、そのため、各ユーザに応じた情報を適切に提供することができないという問題があった。
本発明の目的は、各ユーザに応じた情報を適切に提供することである。
【課題を解決するための手段】
【０００４】  本発明によれば、ユーザ端末からの要求が入力された場合に、予め各ユーザに対応して記憶されたユーザの情報に基づいて、複数の提供情報のうち、各ユーザに適した１または２以上の提供情報にアクセス可能とするためのアドレス情報を生成し、これをユーザ端末に送信することにより、上記課題を解決する。
【発明の効果】
【０００５】  本発明によれば、各ユーザに応じた情報を適切に提供することができる。
【図面の簡単な説明】
【０００６】
【図１】本発明の一実施形態に係る情報提供システムの構成を示すブロック図である。
【発明を実施するための形態】
【０００７】  本実施形態の情報提供システム１は、ユーザ端末２からの要求に応じて、各種コンテンツ情報をユーザ端末２に送信し、これによりユーザに各種コンテンツ情報を提供するためのシステムであり、図１に示すような構成を有する。なお、本実施形態の情報提供システム１としては、インターネットに接続可能なＷｅｂサーバが挙げられる。
【０００８】  データベース３は、ユーザごとの情報を記録する。ユーザごとの情報としては、たとえば、ユーザがインターネットを介して、Ｗｅｂサーバ上の情報選択ページ４にアクセスすることにより、選択されたコンテンツ情報または選択されたコンテンツ情報と関連するコンテンツ情報などが挙げられる。また、データベース３は、ユーザがデータベース３に記録されているユーザごとの情報を利用可能とするためのユーザＩＤを発行し、発行したユーザＩＤをＩＤ送信部５を介して、ユーザ端末２に送信する。また、データベース３は、ユーザＩＤとともに、ユーザが、情報提供システム１のコンテンツ情報記録部９に記録された各種コンテンツ情報を利用するための識別用ＸＭＬファイルを送信する。なお、ＩＤ送信部５から送信される識別用ＸＭＬファイルは、データベース３に記録されているユーザ情報を利用することを要求する際に用いられるＸＭＬファイルであり、たとえば、「ｈｔｔｐ：／／ｓｙｓｔｅｍ１．ｊｐ／ユーザ情報／Ｄｕｍｍｙ．ｘｍｌ」のような形式で設定される。そのため、識別用ＸＭＬファイルには、実際のコンテンツ情報にアクセスするためのアドレスが含まれていない。
【０００９】  そして、ユーザはＩＤ送信部５から取得したユーザＩＤおよび識別用ＸＭＬファイルを用いて、データベース３に記憶されたユーザ個人の情報を利用可能となる。なお、データベース３に、ユーザごとの情報を記録する際には、ユーザが情報選択ページ４にアクセスした際に、ユーザにユーザ登録を促すことにより、各ユーザを識別するような構成としても良いし、あるいは、ユーザ登録を要求することなく、データベース３内で、各ユーザに応じた識別番号を付与して管理するような構成としても良いし、あるいはこれらを併用するような構成としても良い。
【００１０】  ＸＭＬファイル作製部６は、ユーザ端末２からのコンテンツ接続要求が入力部７に入力された場合に、コンテンツ情報記録部９に記録された各種コンテンツ情報から、各ユーザに応じたコンテンツ情報にアクセス可能とするためのアクセス用のＸＭＬファイルを作製する。
【００１１】  具体的には、まず、ユーザがコンテンツ情報記録部９に記録されたコンテンツ情報を利用するために、ユーザ端末２を用いて操作を行い、ＩＤ送信部５から送信される識別用ＸＭＬファイルに含まれるアドレス「ｈｔｔｐ：／／ｓｙｓｔｅｍ１．ｊｐ／ユーザ情報／Ｄｕｍｍｙ．ｘｍｌ」にアクセスすることで、入力部７にユーザからのコンテンツ情報利用要求が入力される。そして、入力部７に入力されたコンテンツ情報利用要求に基づき、ＸＭＬファイル作製部６は、データベース３に記憶されている、コンテンツ情報利用要求がなされたユーザの情報（すなわち、コンテンツ情報利用要求がなされたユーザによるコンテンツ情報の選択状況）を参照する。そして、データベース３に記録されたユーザの情報参照結果に基づき、コンテンツ情報記録部９に記録されている各種コンテンツ情報のうち、コンテンツ情報利用要求がなされたユーザに対応したコンテンツ情報にアクセス可能とするためのアクセス用のＸＭＬファイルを作製する。
【００１２】  なお、ここで、入力部７には、識別用ＸＭＬファイルには、アドレス「ｈｔｔｐ：／／ｓｙｓｔｅｍ１．ｊｐ／ユーザ情報／Ｄｕｍｍｙ．ｘｍｌ」が記述されている一方で、情報提供システム１は、通常、「／ユーザ情報」というディレクトリおよび「／Ｄｕｍｍｙ．ｘｍｌ」というファイルを備えておらず、その代わりに、たとえば、「ｍｏｄ＿ｒｅｗｒｉｔｅ」などのＵＲＬ書き換えエンジンを用いる構成を採用している。具体的には、「ｍｏｄ＿ｒｅｗｒｉｔｅ」などのＵＲＬ書き換えエンジンにより、ユーザによる識別用ＸＭＬファイルへのアクセス要求を、情報提供システム１により予め設定されているＷｅｂコンテンツ（ページ、ＣＧＩ）を提供するように、書き換える。その一方で、ＸＭＬファイル作製部６は、識別用ＸＭＬファイルに含まれるアドレス「ｈｔｔｐ：／／ｓｙｓｔｅｍ１．ｊｐ／ユーザ情報／Ｄｕｍｍｙ．ｘｍｌ」を用いて、ユーザを識別し、データベース３を参照することで、識別したユーザに対応して記録されているユーザ情報を取得する。そして、ＸＭＬファイル作製部６は、データベース３を参照して、コンテンツ情報利用要求がなされたユーザに対応して作製されたアクセス用のＸＭＬファイルを、ＸＭＬファイル送信部８を介して、ユーザ端末２に送信する。
【００１３】  コンテンツ情報記録部９は、各ユーザに提供するための複数のコンテンツ情報を記録されている。コンテンツ情報記録部９に記録される各種コンテンツ情報は、ユーザにより、ユーザ端末２を介してアクセス用のＸＭＬファイルを用いてアクセス（ダウンロード）可能となっている。また、広告情報送信部１０は、コンテンツ情報記録部９に記憶される各種コンテンツ情報に対応した広告情報が記録されている。そして、ユーザ端末２を介してアクセス用のＸＭＬファイルを用いて、コンテンツ情報記録部９に記録されているコンテンツ情報にアクセスがなされた場合に、広告情報送信部１０に記録されている各種広告情報のうち、アクセスされたコンテンツ情報に応じた広告情報が、ユーザ端末２に送信される。なお、コンテンツ情報記録部９に記録されるコンテンツ情報、および広告情報送信部１０に記録される広告情報は、適宜更新可能な構成となっている。
【００１４】  そして、このような情報提供システム１は、次のように動作する。
すなわち、まず、ユーザにより、ユーザ端末２を介して、情報選択ページ４にアクセスがなされ、情報選択ページ４にてコンテンツ情報がなされると、データベース３に、該ユーザに応じたユーザ情報が記録される。次いで、データベース３から、ＩＤ送信部５を介して、ユーザＩＤおよび識別用ＸＭＬファイル（アドレスは、「ｈｔｔｐ：／／ｓｙｓｔｅｍ１．ｊｐ／ユーザ情報／Ｄｕｍｍｙ．ｘｍｌ」）がユーザ端末２に送信される。
【００１５】  そして、ユーザが、ユーザ端末２により、ＩＤ送信部５から取得したユーザＩＤおよび識別用ＸＭＬファイルを用いて、アクセスすると、入力部７にコンテンツ情報利用要求が入力され、これにより、ＸＭＬファイル作製部６は、データベース３を参照して、コンテンツ情報利用要求がなされたユーザの情報に基づいて、アクセス用のＸＭＬファイルを作製する。次いで、作製されたアクセス用のＸＭＬファイルは、ＸＭＬファイル送信部８を介して、ユーザ端末２に送信され、ユーザは、ユーザ端末２を介して、取得したアクセス用のＸＭＬファイルを用いて、コンテンツ情報記録部９に記録されているコンテンツ情報を取得する。また、ユーザがコンテンツ情報を取得した際には、広告情報送信部１０から、ユーザ端末２に、ユーザにより取得されたコンテンツ情報に対応した広告情報が送信される。
【００１６】  本実施形態の情報提供システム１によれば、ユーザからコンテンツ情報利用要求がなされた場合に、コンテンツ情報記録部９に記録されているコンテンツ情報にアクセするためのアクセス用のＸＭＬファイルを、データベース３を参照して、データベース３に記録されたユーザ情報に基づいて、ユーザごとに変更する構成を採用するため、ユーザの要求に応じたコンテンツ情報を適切に提供することができる。また、アクセス用のＸＭＬファイルを、データベース３を参照して、ユーザごとに変更する構成を採用ことにより、ユーザに対応させた多数のＸＭＬファイルを記憶しておく必要がなくなるため、ＸＭＬファイルの管理やメンテナンスが煩雑となってしまうことを有効に防止することができる。
【００１７】  なお、本実施形態の情報提供システム１により提供されるコンテンツ情報としては、たとえば、地域情報（当該地域で行われる祭りなどの各種イベントの情報を含む）、観光情報（観光地までのルート情報を含む）などの各種情報が挙げられる。特に、コンテンツ情報が地域情報や観光情報である場合には、各地域や観光地に応じたコンテンツ情報を適切に提供することができるため、好適である。また、広告情報送信部１０から送信される広告情報としては、バナー広告などの各種広告情報が挙げられる。
【００１８】  また、本実施形態においては、ユーザ端末２として単一のユーザ端末を例示して説明したが、たとえば、情報選択ページ４にアクセスするためのユーザ端末と、実際にコンテンツ情報利用要求を実行するためのユーザ端末とは異なるものであってもよい。このように異なる複数のユーザ端末を用いる場合には、ＩＤ送信部５により取得したユーザＩＤを用いることにより、情報提供システム１によるコンテンツ情報の提供を適切に実行することができる。また、ユーザ端末としては、インターネットやその他の無線通信可能な各種端末が挙げられ、たとえば、パソコンや、携帯電話、携帯情報端末、ｉｐｏｄなどの携帯オーディオ機器（「ｉｐｏｄ」は登録商標）などが挙げられる。また、本実施形態の情報提供システム１は、必要に応じて、ＰｏｄｃａｓｔやｉＴｕｎｅｓ（「ｉＴｕｎｅｓ」は登録商標）などの既存の情報配信システムを利用するものであっても良い。
【００１９】  さらに、本実施形態の情報提供システム１は、単一のＷｅｂサーバからなるものの他、複数のＷｅｂサーバから構成されるものであっても良い。この場合には、たとえば、データベース３、情報選択ページ４、ＩＤ送信部５、ＸＭＬファイル作製部６、入力部７、ＸＭＬファイル送信部８を備える一のＷｅｂサーバと、コンテンツ情報記録部９および／または広告情報送信部１０を備える複数のＷｅｂサーバと、からなる構成とすることができる。
【００２０】  また、上述の実施形態においては、コンテンツ情報記録部９に記録されるコンテンツ情報のうちの一部について、当該コンテンツ情報にアクセするためには、必要な認証を要求する認証要求コンテンツ情報が含まれていても良い。
なお、この場合においては、たとえば、ユーザにより、ユーザ端末２を介して、認証要求コンテンツ情報にアクセスがなされた場合には、コンテンツ情報記録部９は、ユーザＩＤを照合し、認証要求コンテンツ情報にアクセスしたユーザが、当該認証要求コンテンツ情報にアクセスするための権利を有しているか否かを認証する。そして、ユーザが、認証要求コンテンツ情報にアクセスするための権利を有している場合には、コンテンツ情報記録部９は、ＸＭＬファイル作製部６に、アクセス用のＸＭＬファイルを、認証要求情報にアクセス可能な認証情報アクセス用のＸＭＬファイルに変換し、これを、変換した認証情報アクセス用のＸＭＬファイルを、ＸＭＬファイル送信部８を介して、ユーザ端末２に送信する。そして、ユーザは、取得した認証情報アクセス用のＸＭＬファイルを用いることで、認証要求コンテンツ情報にアクセス可能となる。なお、この場合における、ＸＭＬファイル作製部６による認証情報アクセス用のＸＭＬファイルへの変換は、「ｍｏｄ＿ｒｅｗｒｉｔｅ」などのＵＲＬ書き換えエンジンを用いて、上述した方法と同様にして行うことができる。なお、認証要求コンテンツ情報としては、有償のコンテンツ情報などの一部のユーザのみがアクセス可能なコンテンツ情報などが挙げられる。
【００２１】  さらに、上述の実施形態においては、広告情報送信部１０からユーザ端末２に送信された広告情報に、ユーザによりアクセスがなされた場合には、アクセスしたユーザを識別するためのユーザ識別部を有していても良い。そして、ユーザ識別部により、広告情報にアクセスしたユーザを識別し、各ユーザごとに、広告情報へのアクセスの履歴を記憶するような構成としても良い。そして、たとえば、各ユーザごとに、広告情報へのアクセスの回数に応じて、有償のコンテンツ情報などの認証要求コンテンツ情報を利用できるような構成としても良い。
【００２２】  本実施形態において、データベース３は本発明のユーザ情報記録手段に、ＸＭＬファイル作製部６は本発明のアドレス情報生成手段に、入力部７は本発明の入力手段に、ＸＭＬファイル送信部８は本発明のアドレス情報送信手段に、コンテンツ情報記録部９は本発明の提供情報記録手段に、それぞれ相当する。
【００２３】  以上、本発明の実施形態について説明したが、これらの実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００２４】１…情報提供システム、２…ユーザ端末、３…データベース、４…情報選択ページ、５…ＩＤ送信部、６…ＸＭＬファイル作製部、７…入力部、８…ＸＭＬファイル送信部、９…コンテンツ情報記録部、１０…広告情報送信部
【図１】
2010277561.tif 000003